(57)【要約】【課題】  本発明は、シートの斜行量に応じてループ空間を可変にする。更に、シートの先端がレジスト部材に突入する前に該シートの斜行量に応じて斜行の粗補正が出来る。そして、斜行したシートの後行する先端側をより大きな力でレジスト部材に突き当てることが出来る。これにより高精度の斜行補正を行うシート搬送装置を提供する。【解決手段】  レジ前ローラ42によりシート搬送方向下流側に搬送されたシートＳを受けて、その姿勢を制御するレジストローラ対44と、該レジ前ローラ42と、レジストローラ対44との間に設けられ、該レジ前ローラ42に搬送されたシートＳの先端をレジストローラ対44へと導く搬送ガイド対43とを有し、該搬送ガイド対43の一方の搬送ガイドは、レジ前ローラ42によりシート搬送方向下流側に搬送されるシートＳの幅方向中間部で該シート搬送方向に沿って配置された回動中心を中心に回動し得る回動ガイド43ａを有して構成したことを特徴とする。【選択図】      図３
2013159438.tif 000002
【特許請求の範囲】
【請求項１】
シートを搬送する搬送手段と、
前記搬送手段によりシート搬送方向下流側に搬送されたシートを受けて、その姿勢を制御するレジスト部材と、
前記搬送手段と、前記レジスト部材との間に設けられ、前記搬送手段に搬送されたシートの先端を前記レジスト部材へと導く搬送ガイド対と、
前記搬送ガイド対の一方の搬送ガイドは、前記搬送手段によりシート搬送方向下流側に搬送されるシートの幅方向中間部で該シート搬送方向に沿って配置された回動中心を中心に回動し得るように構成されたことを特徴とするシート搬送装置。
【請求項２】
前記一方の搬送ガイドを回動可能に保持する弾性部材を有することを特徴とする請求項１に記載のシート搬送装置。
【請求項３】
前記搬送手段によりシート搬送方向下流側に搬送されるシートの先端を検知する複数の先端検知手段と、
前記一方の搬送ガイドを前記回動中心を中心に回動させる回動手段と、
前記先端検知手段の検知情報に基づいて前記回動手段を駆動して前記一方の搬送ガイドの回動角度を制御する制御手段と、
を有することを特徴とする請求項１に記載のシート搬送装置。
【請求項４】
前記先端検知手段は、前記一方の搬送ガイドよりもシート搬送方向上流側に配置され、
前記制御手段は、前記先端検知手段の検知情報に基づいて、前記搬送手段によりシート搬送方向下流側に搬送されるシートの先端が前記レジスト部材に突き当たる前に、前記一方の搬送ガイドの回動角度を制御することを特徴とする請求項３に記載のシート搬送装置。
【請求項５】
前記レジスト部材は、一対の搬送回転体対により構成されることを特徴とする請求項１〜４のいずれか１項に記載のシート搬送装置。
【請求項６】
前記レジスト部材は、前記搬送手段によりシート搬送方向下流側に搬送されたシートの先端に当接して該シートの進行を阻止する位置と、該シートの進行の阻止を解除する位置とに移動可能なシート当接部材を有して構成されることを特徴とする請求項１〜４のいずれか１項に記載のシート搬送装置。
【請求項７】
請求項１〜６のいずれか１項に記載のシート搬送装置と、
前記シート搬送装置により搬送されたシートに画像を形成する画像形成手段と、
を有することを特徴とする画像形成装置。
【発明の詳細な説明】
【技術分野】
【０００１】
本発明は、プリンタや、複写機、或いはファクシミリ等の画像形成装置に適用されるシート搬送装置に関するものである。
【背景技術】
【０００２】
画像形成装置におけるシートの姿勢制御に関して、大きく斜行したシートが搬送される場合がある。その場合、シートの先端と画像の先端とを合わせるために一度、シートを止めてタイミングを合わせる。そのような一般的なレジストローラと搬送ガイドとでは、シートの斜行量を解消出来ないという問題がある。
【０００３】
この問題を解決する手段として、レジストローラに到達したシートにループが形成された際に、シートが接触する搬送ガイドを利用して斜行量を調整する方法が考えられる。例えば、レジストローラ前の搬送ガイドをシート幅方向に複数に分割したガイドとする。そして、分割ガイドはシート搬送路に対して接近／離間する方向に回動可能に軸支される。これにより、シートのループ量に応じて空間を変化させ、シートに負荷を与える手段が提案されている（特許文献１参照）。
【先行技術文献】
【特許文献】
【０００４】
【特許文献１】特開平９−２３５０４１号公報
【発明の概要】
【発明が解決しようとする課題】
【０００５】
しかしながら、特許文献１では、シートの斜行に対するループ量に応じてループ空間を可変に出来るものの、シートの先端がレジストローラに突き当たる前にシートの斜行補正がされない。このため、斜行したシートの先端がレジストローラのニップ部へ突入する際に発生する該斜行したシートの先行する側の先端のニップ部への突き刺さりを有効に防止することが出来ない。
【０００６】
よって、斜行したシートの先端がレジストローラのニップ部へ突入する際の入力斜行量が、斜行補正後の出力斜行量（斜行残差）に影響するという問題が生じる。また、シートのループ量に応じて、シート搬送路に対して離間する方向に分割ガイドが回動するため、斜行したシートの後行する先端をレジストローラに突き当てる力を大きく出来ない。よって、斜行したシートの先行する先端側により大きな突き当て力が発生し、斜行補正を行うための有効な旋回力が発生しないという問題が生じる。
【０００７】
本発明は前記課題を解決するものであり、その目的とするところは、シートの斜行量に応じてループ空間を可変にする。更に、シートの先端がレジスト部材に突入する前に該シートの斜行量に応じて斜行の粗補正が出来る。そして、斜行したシートの後行する先端側をより大きな力でレジスト部材に突き当てることが出来る。これにより高精度の斜行補正を行うシート搬送装置を提供するものである。
【課題を解決するための手段】
【０００８】
前記目的を達成するための本発明に係るシート搬送装置の代表的な構成は、シートを搬送する搬送手段と、前記搬送手段によりシート搬送方向下流側に搬送されたシートを受けて、その姿勢を制御するレジスト部材と、前記搬送手段と、前記レジスト部材との間に設けられ、前記搬送手段に搬送されたシートの先端を前記レジスト部材へと導く搬送ガイド対と、前記搬送ガイド対の一方の搬送ガイドは、前記搬送手段によりシート搬送方向下流側に搬送されるシートの幅方向中間部で該シート搬送方向に沿って配置された回動中心を中心に回動し得るように構成されたことを特徴とする。
【発明の効果】
【０００９】
上記構成によれば、シートの斜行量に応じてループ空間を可変にすることが可能となる。更に、シートの先端がレジスト部材に突入する前に該シートの斜行量に応じて斜行の粗補正が出来る。そして、斜行したシートの後行する先端側をより大きな力でレジスト部材に突き当てることが出来る。
【図面の簡単な説明】
【００１０】
【図１】本発明に係るシート搬送装置を具備した画像形成装置の第１実施形態の構成を示す断面説明図である。
【図２】（ａ）〜（ｃ）は本発明に係るシート搬送装置の第１実施形態の構成において、シートの進行に伴って該シートの斜行量に応じて搬送ガイドが回動し、ループ空間を可変にする様子を示す断面説明図である。
【図３】（ａ），（ｂ）は図２のｔ方向から見た第１実施形態において、シートの進行に伴って該シートの斜行量に応じて搬送ガイドが回動し、ループ空間を可変にする様子を示す正面図である。
【図４】（ａ）〜（ｃ）は本発明に係るシート搬送装置の第２実施形態の構成において、シートの進行に伴って該シートの斜行量に応じて搬送ガイドを回動し、ループ空間を可変にする様子を示す断面説明図である。
【図５】図４のｔ方向から見た第２実施形態において、シートの進行に伴って該シートの斜行量に応じて搬送ガイドが回動し、ループ空間を可変にする様子を示す正面図である。
【図６】（ａ）〜（ｃ）は本発明に係るシート搬送装置の第３実施形態の構成において、シートの進行に伴って該シートの斜行量に応じて搬送ガイドを回動し、ループ空間を可変にする様子を示す断面説明図である。
【図７】図６（ａ）のｔ方向から見た正面図である。
【発明を実施するための形態】
【００１１】
図により本発明に係るシート搬送装置を備えた画像形成装置の一実施形態を具体的に説明する。
【実施例１】
【００１２】
先ず、図１〜図３を用いて本発明に係るシート搬送装置を具備した画像形成装置の第１実施形態について説明する。図１はシート搬送装置４Ｒを具備した画像形成装置の第１実施形態の構成を示す。図１において、画像形成装置１の上部の中空部にシート搬送装置４Ｒにより搬送されたシートＳに画像を形成する画像形成手段となる画像形成部２が設けられている。画像形成装置１の下部にはシート搬送部４と、シート給送部５とが設けられている。
【００１３】
画像形成部２は、イエローＹ、マゼンタＭ、シアンＣ、ブラックＢｋの各色の画像形成ステーションに夫々像担持体としての感光ドラム20が設けられている。更に、感光ドラム20の表面を一様に帯電する帯電装置21、感光ドラム20に静電潜像を形成するためのＬＥＤ（発光ダイオード）ユニット22が設けられている。
【００１４】
また、画像形成部２は、感光ドラム20の表面上の静電潜像をトナー像に現像する現像装置23を有する。更に、感光ドラム20の表面上のトナー像を中間転写ベルト24に転写する一次転写ローラ25を有する。更に、感光ドラム20の表面上の残留トナーを除去するクリーナ26が設けられている。
【００１５】
中間転写ベルト24は、駆動ローラ27、二次転写内ローラ28、テンションローラ29によって張架されている。
【００１６】
給送カセット501内に収容されたシートＳは、給送ローラ51および分離ローラ対52によって１枚ずつ分離給送される。そして、複数の搬送ローラ53および搬送ローラ群41によって、シートＳを搬送する搬送手段となるレジスト前ローラ42およびレジスト部材となるレジストローラ対44の順に搬送される。
【００１７】
レジストローラ対44はレジスト前ローラ42によりシート搬送方向下流側に搬送されたシートＳを受けて、その姿勢を制御する。本実施形態のレジスト部材は、互いに圧接してニップ部を形成する一対の搬送回転体対となるレジストローラ対44により構成される一例である。
【００１８】
レジストローラ対44の位置まで来たシートＳは、中間転写ベルト24上のトナー像の位置とタイミングを合わせて搬送される。中間転写ベルト24上のトナー像は二次転写外ローラ45によってシートＳ上に転写される。
【００１９】
二次転写外ローラ45よりもシート搬送方向下流側にはシートＳを搬送する搬送ベルト46、トナー像をシートＳに定着させる定着装置47が設けられている。定着装置47によりトナー像が定着したシートＳは、排出ローラ48によって排出トレイ49上に排出される。また、シートＳの両面に印刷をする場合は、定着装置47を出たシートＳはシート反転部６、両面搬送部７の順に搬送され、再度、シート搬送部４に合流して２面目に画像が形成され、定着装置47、排出ローラ48を通って排出トレイ49上に排出される。
【００２０】
図２（ａ）〜（ｃ）は、本実施形態におけるシート搬送装置４ＲのシートＳの各位置における断面図、図３（ａ）は図２（ａ）を矢印ｔ方向から見た構成図である。図２に示すシート搬送装置４Ｒにおいて、シートＳが斜行した状態でレジスト前ローラ42から搬送された場合の該シートＳの先行する先端Ｓ１の軌跡を点線矢印で示し、該シートＳの後行する先端Ｓ２の軌跡を実線矢印で示している。
【００２１】
シート搬送装置４Ｒは、レジスト前ローラ42と、レジストローラ対44との間に設けられ、レジスト前ローラ42により搬送されたシートＳの先端をレジストローラ対44へと導く搬送ガイド対43を有する。
【００２２】
回動ガイド43ａは、搬送ガイド対43の一方側の搬送ガイドの一部を構成する。回動ガイド43ａは、レジスト前ローラ42によりシート搬送方向下流側に搬送されるシートＳの幅方向（図３の左右方向）中間部（幅方向中間部）で回動中心となる回動軸431を中心に回動し得るように構成されている。回動軸431はシート搬送方向（図２の左右方向）に沿って配置される。
【００２３】
回動ガイド43ａは、レジスト前ローラ42によりシート搬送方向下流側に搬送されるシートＳの先端が当接摺動して回動する。回動ガイド43ａは、該回動ガイド43ａの回動を支持する回動軸431を有する。更に、該回動ガイド43ａを回動可能に保持すると共にシートＳが当接しない状態では、図２（ａ）及び図３（ａ）に示すように、水平を保つように該回動ガイド43ａを付勢する弾性部材となる圧縮ばね432ａ，432ｂを有して構成される。
【００２４】
図３に示すように、圧縮ばね432ａ，432ｂのそれぞれの一端は、回動ガイド43ａの回動軸431を中心にして、略同じ距離だけ離れた左右対称となる位置に配置されたホルダ433ａ，433ｂにより支持されている。そして、該圧縮ばね432ａ，432ｂのそれぞれの他端が回動ガイド43ａの回動軸431を中心にして、略同じ距離だけ離れた左右対称となる位置で該回動ガイド43ａの表面に当接し得るように構成されている。
【００２５】
圧縮ばね432ａ，432ｂのそれぞれは、ある程度圧縮された状態で回動ガイド43ａを所定の付勢力で付勢するように、装置本体に設けられたホルダ433ａ，433ｂにより位置決めされている。
【００２６】
また、図２（ａ）及び図３（ａ）に示すように、シートＳが回動ガイド43ａに触れていないときは、圧縮ばね432ａ，432ｂにより付勢される回動ガイド43ａの回動軸431回りの回動角度θがゼロとなる。そのように、ホルダ433ａ，433ｂの位置を調整して組み付けられている。
【００２７】
図２（ｂ）は、シートＳの先端が回動ガイド43ａの表面に接触した際のシート搬送装置４Ｒの状態を示す断面図であり、図３（ｂ）は図２（ｂ）の矢印ｔ方向から見た構成図である。図１に示す画像形成装置１の搬送ローラ群41により搬送されたシートＳは、レジスト前ローラ42でさらにシート搬送方向下流側に搬送され、回動ガイド43ａに接触する。
【００２８】
このとき、シートＳが斜行していたとする。そうすると、図３（ａ），（ｂ）に示すように、斜行したシートＳの先行する先端Ｓ１が回動ガイド43ａに接触する。その際に、該先端Ｓ１によって、図３（ａ），（ｂ）に示す回動ガイド43ａの回動軸431よりも右側が図３（ａ），（ｂ）の上方に押し出されるように該回動ガイド43ａは圧縮ばね432ａの付勢力に抗して回動軸431を中心に回動する。
【００２９】
このとき、図３（ｂ）に示すように、回動軸431を中心に所定の回動角度θだけ回動した回動ガイド43ａの表面に当接摺動する先行する先端Ｓ１は、後行する先端Ｓ２よりも長い搬送経路を通ることになる。これによってシートＳの先端が回動軸431を中心に所定の回動角度θだけ回動した回動ガイド43ａの表面に当接摺動する際に該シートＳは斜行を粗補正されながら回動ガイド43ａに沿って搬送される。
【００３０】
図２（ｃ）はシートＳの先端がレジストローラ対44のニップ部に突き当たった際のシート搬送装置４Ｒの状態を示す断面図である。前述のように斜行を粗補正されながら搬送されたシートＳの先端がレジストローラ対44のニップ部に突き当たるとき、レジストローラ対44は停止しているためシートＳにループが形成される。
【００３１】
このとき、図３（ｂ）に示すように、回動軸431を中心に所定の回動角度θだけ回動した状態の回動ガイド43ａによって、先行する先端Ｓ１側はループ空間が大きく形成され、後行する先端Ｓ２側はループ空間が小さく形成される。そのため、シートＳの先端がレジストローラ対44のニップ部に突き当たった際、ループ空間が小さく形成される後行する先端Ｓ２には大きな突き当て力が発生し、シートＳに斜行が補正される方向の十分な旋回力が発生する。その後、レジストローラ対44は回転駆動を開始し、斜行が補正されたシートＳはシート搬送方向下流側に搬送される。
【００３２】
以上のように、斜行したシートＳが回動軸431を中心に回動可能な回動ガイド43ａに沿って搬送される際に斜行粗補正がなされる。更に、シートＳの先端がレジストローラ対44のニップ部に突き当たった際に先行する先端Ｓ１側と後行する先端Ｓ２側とで形成されるループ空間に大小の差が生じる。そして、その斜行粗補正と、ループ空間の大小による斜行補正の両方の効果により、シート搬送装置４ＲによってシートＳの斜行を効果的に補正することが出来る。
【実施例２】
【００３３】
次に、図４及び図５を用いて本発明に係るシート搬送装置を備えた画像形成装置の第２実施形態について説明する。尚、前記第１実施形態と同様に構成したものは同一の符号を付して説明を省略する。
【００３４】
前記第１実施形態では、斜行したシートＳの先端が回動ガイド43ａの表面に当接摺動する際に回動ガイド43ａが回動軸431を中心に所定の回動角度θだけ回動する構成とした。その場合、シートＳの腰の力のみにより発生する付勢力により圧縮ばね432ａ，432ｂの付勢力に抗して回動ガイド43ａが回動軸431を中心に所定の回動角度θだけ回動する。本実施形態では、回動ガイド43ａよりもシート搬送方向上流側で予めシートＳの先端両側を検知した斜行量の検知情報に基づいて回動手段により回動ガイド43ａを回動軸431を中心に所定の回動角度θだけ回動する構成としたものである。
【００３５】
図４（ａ）〜（ｃ）は、本実施形態におけるシート搬送装置４ＲのシートＳの各位置における断面図、図５は図４（ａ）の矢印ｔ方向から見た構成図である。本実施形態のシート搬送装置４Ｒは、レジスト前ローラ42によりシート搬送方向下流側に搬送されるシートＳの先端両側を検知する複数の先端検知手段となるセンサ列８を有する。センサ列８は回動ガイド43ａよりもシート搬送方向上流側に配置される。
【００３６】
本実施形態では、更に、回動ガイド43ａを回動軸431を中心に回動させる回動手段となるギア列430及び該ギア列430を回転駆動するモータ９を有する。
【００３７】
更に、センサ列８によりシートＳの先端両側を検知した検知情報に基づいて制御手段となる制御部10によりモータ９を回転駆動する。そして、モータ９の回転軸に連結されたギア列430を介して回動ガイド43ａの回動軸431に設けられたギアを回転させる。そして、制御部10により回動ガイド43ａの回動軸431を中心とする回動角度θを制御する。
【００３８】
制御部10はセンサ列８によりシートＳの先端両側を検知する。そして、検知した検知情報に基づいて、レジスト前ローラ42によりシート搬送方向下流側に搬送されるシートＳの先端がレジストローラ対44のニップ部に突き当たる前に回動ガイド43ａの回動軸431を中心とする回動角度θを制御する。
【００３９】
センサ列８は、シートＳの斜行量が検出出来るように、図４の手前側と奥側方向に２つ以上の光学式センサを有して構成される。図４（ａ）〜（ｃ）は、シートＳが斜行した状態でレジスト前ローラ42から搬送されるときの、該シートＳの先行する先端Ｓ１の軌跡を点線矢印で示し、後行する先端Ｓ２を実線矢印で示している。
【００４０】
レジスト前ローラ42によって搬送されたシートＳは、レジスト前ローラ42よりもシート搬送方向下流側の直近に配置されたセンサ列８によってシートＳの先端両側の位置が検出され、制御部10によってシートＳの斜行量が計算される。その後、図５に示すように、回動ガイド43ａの回動軸431を中心とする回動角度θがシートＳの斜行量に合うように、制御部10がモータ９を駆動してギア列430を介して回動軸431に回転駆動力を与え、回動ガイド43ａの姿勢を変化させる。
【００４１】
図４（ｂ）は、シートＳの先端が回動ガイド43ａに接触した際のシート搬送装置４Ｒの様子を示す断面図である。レジスト前ローラ42で搬送されたシートＳは、センサ列８により検知した該シートＳの斜行量に対応して、すでに所定の回動角度θだけ回動した状態の回動ガイド43ａの表面に接触する。
【００４２】
ここで、前記第１実施形態と同様に、所定の回動角度θだけ回動した状態の回動ガイド43ａの表面に当接摺動する斜行したシートＳの先行する先端Ｓ１は、後行する先端Ｓ２よりも長い搬送経路を通る。これによって、シートＳは斜行を粗補正されながら所定の回動角度θだけ回動した状態の回動ガイド43ａの表面に沿って搬送される。
【００４３】
図４（ｃ）は、シートＳの先端がレジストローラ対44のニップ部に突き当たった際のシート搬送装置４Ｒの様子を示す断面図である。前述した第１実施形態と同様に、所定の回動角度θだけ回動した状態の回動ガイド43ａの表面に沿って斜行を粗補正されながら搬送されたシートＳの先端がレジストローラ対44のニップ部に突き当たる。そのとき、レジストローラ対44は停止しているためシートＳにループが形成される。
【００４４】
このとき、所定の回動角度θだけ回動した状態の回動ガイド43ａの表面に沿って形成されるシートＳの先行する先端Ｓ１側に形成される大きなループ空間と、後行する先端Ｓ２側に形成される小さなループ空間とに大小の差が生じる。そのループ空間の大小の差によって、シートＳの後行する先端Ｓ２側には大きな突き当て力が発生し、シートＳに斜行が補正される方向に十分な旋回力が発生する。
【００４５】
その後、レジストローラ対44の回転駆動を開始し、斜行が補正されたシートＳは更にシート搬送方向下流側に搬送される。
【００４６】
以上のように、斜行したシートＳが回動ガイド43ａに沿って搬送される際の斜行粗補正と、レジストローラ対44のニップ部に突き当たった際のループ空間の大小の差による斜行補正の両方の効果が得られる。これにより、前記第１実施形態と同様に効果的な斜行補正をすることが出来る。
【００４７】
また、回動ガイド43ａの回動軸431を中心とする回動角度θを制御部10によって制御するため、前記第１実施形態よりも高精度にシートＳの斜行補正をすることが出来る。他の構成は前記第１実施形態と同様に構成され、同様の効果を得ることが出来る。
【実施例３】
【００４８】
次に、図６及び図７を用いて本発明に係るシート搬送装置を備えた画像形成装置の第３実施形態について説明する。尚、前記各実施形態と同様に構成したものは同一の符号を付して説明を省略する。
【００４９】
前記各実施形態では、レジスト部材の一例として、一対の搬送回転体対となるレジストローラ対44により構成した。本実施形態では、図６及び図７に示すように、レジスト部材の他の例として、シート当接部材となるレジストシャッタ441を有して構成したものである。レジストシャッタ441はレジスト前ローラ42によりシート搬送方向下流側に搬送されたシートＳの先端に当接して該シートＳの進行を阻止する位置に保持される。そして、その位置から該シートＳの進行の阻止を解除する位置とに移動可能に構成される。
【００５０】
図６（ａ）〜（ｃ）は、本実施形態におけるシート搬送装置４ＲのシートＳの各位置における断面図である。本実施形態では、前記各実施形態におけるレジストローラ対44の代わりに、レジスト部材としてレジストシャッタ441と、常時、回転駆動した状態の搬送ローラ対442とを組み合わせた構成である。レジストシャッタ441は、シート当接部材としての壁面部441ａが搬送ローラ対442のニップ部よりもシート搬送方向上流側に位置した状態で搬送ローラ対442の一方のローラ442ａの回転軸に軸支されている。
【００５１】
そして、一方のローラ442ａの回転軸の周り（図６（ｃ）の矢印ｑ方向）に回動可能となるように図示しない付勢手段により図６（ｃ）の矢印ｑ方向と反対方向に付勢され、図示しないストッパにより図６（ａ），（ｂ）に示す状態で保持されている。
【００５２】
レジスト前ローラ42によって搬送され、回動ガイド43ａによって斜行を粗補正されながら搬送されたシートＳの先端が図６（ｂ）に示すように、レジストシャッタ441の壁面部441ａに接触する。すると、前記各実施形態で前述したように、斜行したシートＳの後行する先端Ｓ２側には大きな突き当て力が発生し、該シートＳに斜行が補正される方向の旋回力が発生する。
【００５３】
以上の動作で斜行補正されたシートＳは、レジスト前ローラ42によってさらに搬送力が与えられる。そして、シートＳの腰の強さによって該シートＳの先端が当接するレジストシャッタ441を図示しない付勢手段の付勢力に抗して図６（ｃ）の矢印ｑ方向に回動させてレジストシャッタ441の壁面部441ａをシート搬送路から退避させる。シートＳは常時、回転駆動した状態の搬送ローラ対442により挟持されて、さらにシート搬送方向下流へと搬送される。
【００５４】
レジストシャッタ441および搬送ローラ対442以外の構成は、前記各実施形態と同様に構成することが出来、同様の効果を得ることが出来る。本実施形態では、レジストシャッタ441および搬送ローラ対442を用いることで、前記各実施形態と同様な効果が得られ、かつシートＳの先端がレジストローラ対44のニップ部に突き刺さることによる斜行残りを防止するシート搬送装置４Ｒを実現出来る。また、一般的にレジストローラ対44は回転軸の両端で加圧する構成であるため軸方向中央部の加圧力が低下し易いため、本実施形態では小サイズのシートＳであってもより確実に斜行補正出来るシート搬送装置４Ｒを実現出来る。
【符号の説明】
【００５５】
Ｓ    …シート
42    …レジスト前ローラ（搬送手段）
43ａ  …回動ガイド(一方の搬送ガイド)
44    …レジストローラ対（レジスト部材；一対の搬送回転体対）
【図１】
2013159438.tif 000003
【図２】
2013159438.tif 000004
【図３】
2013159438.tif 000005
【図４】
2013159438.tif 000006
【図５】
2013159438.tif 000007
【図６】
2013159438.tif 000008
【図７】
2013159438.tif 000009